(57)【要約】【課題】抗菌性薬剤成分を含み、汗を吸い易い吸汗性シートとその吸汗性シートを使用した使い捨ておむつ。【解決手段】吸汗性シート２１が、基材シート２１ａと、基材シート２１ａに含まれる薬剤成分とからなる。薬剤成分は、第４級アンモニウム塩であって、セルロース繊維を含む基材シート２１ａは、それに第４級アンモニウム塩の溶液を浸漬させた後に乾燥させて、第４級アンモニウム塩と一体になっている。吸汗性シート２１は、使い捨ておむつに取り付けて使用することができる。【選択図】図２
2007325915.tif 000002
【特許請求の範囲】
【請求項１】
吸水性繊維を含む繊維集合体で形成された基材シートと、前記基材シートに含まれる薬剤成分とからなる吸汗性シートであって、
前記吸水性繊維が少なくともセルロース繊維を含み、前記薬剤成分が第４級アンモニウム塩であり、前記基材シートが、それに前記第４級アンモニウム塩の溶液を浸漬させた後に乾燥させて、前記第４級アンモニウム塩と一体になっていることを特徴とする前記吸汗性シート。
【請求項２】
前記第４級アンモニウム塩が、塩化セチルピリジニウム、塩化ベンザルコニウム、塩化ベンゼトニウムのいずれかである請求項１記載の吸汗性シート。
【請求項３】
前記基材シートと一体の前記第４級アンモニウム塩の量が０．０１２〜０．１７６重量％である請求項１または２記載の吸汗性シート。
【請求項４】
前記基材シートと一体の前記第４級アンモニウム塩の量が０．０２９〜０．０８８重量％である請求項１または２記載の吸汗性シート。
【請求項５】
前記基材シートが前記セルロース繊維としてパルプ繊維を使用して形成されたティシューペーパである請求項１〜４のいずれかに記載の吸汗性シート。
【請求項６】
前胴周り域と後胴周り域とこれら両域間に介在する股下域とを有し、内面が肌当接側となり外面が着衣当接側となる使い捨てのおむつであって、
前記前胴周り域と前記後胴周り域と前記股下域とのうちの少なくとも前記後胴周り域における前記内面に請求項１〜５のいずれかに記載の吸汗性シートが取り付けられていることを特徴とする前記おむつ。
【発明の詳細な説明】
【技術分野】
【０００１】
この発明は吸汗性シート、より詳しくは抗菌性の薬剤成分を含む吸汗性シートに関し、その吸汗性シートを使用した使い捨ておむつにも関する。
【背景技術】
【０００２】
従来、使い捨ておむつや使い捨てトレーニングパンツ、使い捨てガウン等の使い捨て着用物品に使用される吸汗性シートは、公知である。例えば、特開２０００−１８９４５４号公報（特許文献１）に開示された使い捨ておむつでは、エンドフラップの内面に通気性吸汗性シートが使用されている。また、特開２００４−３５８０９９号公報（特許文献２）に開示された吸収性物品では、エンドフラップの肌当接面に親水性かつ通気性の吸汗性シートが使用されている。これらの吸汗性シートは、使い捨ておむつ等の着用中に生じやすいあせもやかぶれ等の防止を目的に使用されている。また、特開２００１−２９９８１１号公報（特許文献３）や特開２００２−１５３５０７号公報（特許文献４）に開示された吸収性物品では、かぶれ等を防止するために、肌に接触する部位に薬剤効果を有する成分、例えばアロエ抽出成分等が塗布されている。
【特許文献１】特開２０００−１８９４５４号公報
【特許文献２】特開２００４−３５８０９９号公報
【特許文献３】特開２００１−２９９８１１号公報
【特許文献４】特開２００２−１５３５０７号公報
【発明の開示】
【発明が解決しようとする課題】
【０００３】
特許文献１，２における吸汗性シートは、汗を吸い取ることによってあせもを防止しようとするもので、吸汗量が多くなるにつれて、その効果が低くなる。また、特許文献３，４における吸収性物品は、薬剤成分を複合繊維からなるエアスルー不織布に塗布したり（特許文献３）、長繊維からなる不織布に塗布したりするもので、あせもやかぶれの発生を抑えることができても、不織布は吸汗性のものではないから、多量の汗をかいたときには肌に清涼感を与えることができない。
この発明は、肌に当てて使用しているときに、汗をかいた肌に対して清涼感を与えると同時に、あせもの発症に関係すると考えられる菌の増殖を抑制することが可能な吸汗性シートの提供を課題にしている。
【課題を解決するための手段】
【０００４】
前記課題を解決するためのこの発明は、吸汗性シートに係る第１発明と、その吸汗性シートを使用した使い捨ておむつに係る第２発明とを含んでいる。
【０００５】
前記第１発明は、吸水性繊維を含む繊維集合体で形成された基材シートと、前記基材シートに含まれる薬剤成分とからなる吸汗性シートを対象にしている。
【０００６】
かかる吸汗性シートにおいて第１発明が特徴とするところは、前記吸水性繊維が少なくともセルロース繊維を含み、前記薬剤成分が第４級アンモニウム塩であり、前記基材シートが、それに前記第４級アンモニウム塩の溶液を浸漬させた後に乾燥させて、前記第４級アンモニウム塩と一体になっていること、にある。
【０００７】
第１発明の好ましい実施態様の他の一つにおいて、前記第４級アンモニウム塩が、塩化セチルピリジニウム、塩化ベンザルコニウム、塩化ベンゼトニウムのいずれかである。
【０００８】
第１発明の好ましい実施態様の他の一つにおいて、前記基材シートと一体の前記第４級アンモニウム塩の量が０．０１２〜０．１７６重量％である。
【０００９】
第１発明の好ましい実施態様の他の一つにおいて、前記基材シートと一体の前記第４級アンモニウム塩の量が０．０２９〜０．０８８重量％である。
【００１０】
第１発明の好ましい実施態様の他の一つにおいて、前記基材シートが前記セルロース繊維としてパルプ繊維を使用して形成されたティシューペーパである。
【００１１】
前記第２発明は、前胴周り域と後胴周り域とこれら両域間に介在する股下域とを有し、内面が肌当接側となり外面が着衣当接側となる使い捨てのおむつを対象にしている。
【００１２】
かかる使い捨ておむつにおいて、第２発明が特徴とするところは、前記前胴周り域と前記後胴周り域と前記股下域とのうちの少なくとも前記後胴周り域における前記内面に前記第１発明に係る吸汗性シートが取り付けられていること、にある。
【発明の効果】
【００１３】
この発明の第１発明に係る吸汗性シートは、セルロース繊維とそれと一体の第４級アンモニウム塩とを含むことによって、親水性のセルロース繊維が汗を吸って肌に清涼感を与えることができるとともに、セルロース繊維をキャリヤとする第４級アンモニウム塩が汗に濡れたセルロース繊維からその汗の中に簡単に溶出して、汗をかいた肌での表皮ブドウ球菌の増殖を抑え、あせも発症の防止が可能になる。
【００１４】
第４級アンモニウム塩が塩化セチルピリジニウム、塩化ベンザルコニウム、塩化ベンゼトニウムである態様の第１発明によれば、薬剤成分として抗菌性のものを簡単に入手することができる。
【００１５】
第４級アンモニウム塩の量が０．０１２〜０．１７６重量％である態様の第１発明によれば、肌に当てたときにあせもの防止が可能であって、肌を刺激することのない吸汗性シートを入手することができる。その量が０．０２９〜０．０８８重量％であるときには、あせもの防止が一層確実になる。
【００１６】
繊維集合体で形成された基材シートがパルプ繊維で形成されたティシューペーパである態様の第１発明では、そのティシューペーパを形成しているパルプ繊維が第４級アンモニウム塩に対する優れたキャリヤとなる。
【００１７】
第１発明に係る吸汗性シートが後胴周り域の内面に取り付けられている態様の第２発明に係る使い捨ておむつによれば、おむつを着用した乳幼児の腰部におけるあせもの発生を防止できる。
【発明を実施するための最良の形態】
【００１８】
添付の図面を参照して、この発明に係る吸汗性シートの詳細を説明すると、以下のとおりである。
【００１９】
図１は、使い捨ておむつ１の部分破断平面図である。おむつ１は、透液性表面シート２と、不透液性裏面シート３と、これら両シート２，３間に介在する吸液性コア４とによって形成されており、おむつ着用者の身体を覆う前胴周り域６と、後胴周り域７と、股下域８とを有する。後胴周り域７の両側部には前後胴周り域６，７を連結するためのファスナ９が取り付けられている。表面シート２は、おむつ着用者（図示せず）の肌に当接する内面を形成しており、裏面シート３は、おむつ着用者の着衣に当接する外面を形成している。
【００２０】
かようなおむつ１の後胴周り域７における表面シート２の一部分に対しては、吸汗性シート２１と補強シート２２（図２参照）とが接着または溶着により取り付けられている。おむつ着用者は、腰部における汗を吸汗性シート２１に吸収させることによって、清涼感を得たり、あせもに対する防止効果を得たりすることができる。
【００２１】
図２は、図１における吸汗性シート２１と補強シート２２との部分断面図であって、両シート２１，２２は吸汗性シート２１がおむつ着用者の肌に当接するようにして積層一体化されている。吸汗性シート２１は基材シート２１ａとそれをキャリヤとする薬剤成分（図示せず）とを含むもので、基材シート２１ａは吸水性繊維としてセルロース系繊維、より好ましくはパルプ繊維を５〜２０ｇ／ｍ２の割合で含む他に、ポリプロピレンを芯成分としポリエチレンを鞘成分とする複合繊維やポリエステル繊維等の熱可塑性合成繊維をセルロース系繊維の重量に対して０〜９０重量％含むことができる繊維集合体である。図示例では、パルプ繊維２３のみからなり坪量１７ｇ／ｍ２を有するティシューペーパが基材シート２１ａとして使用されている。かような吸汗性シート２１は、基材シート２１ａに所要濃度の第４級アンモニウム塩の水溶液やアルコール溶液等の薬剤溶液を浸漬させた後、その基材シート２１ａを乾燥させることによって得られるもので、第４級アンモニウム塩がキャリヤであるパルプ繊維２３に染み込んでその表面や内部に付着または化学的に結合して一体化している。第４級アンモニウム塩は、抗菌剤として使用されるもので、例えば塩化セチルピリジニウムや塩化ベンザルコニウム、塩化ベンゼトニウム、アルキルピリジニウムクロライド、アルキルトリメチルアンモニウムクロライド、ジアルキルジメチルアンモニウムクロライド、ヘキサデシルトリメチルアンモニウムブロマイド、ジデシルジメチルアンモニウムクロライド、デシルイソノニルジメチルアンモニウムフロライド、ヘキサデシルピリジニウムクロライド、４，４’−（テトラメチレンジカルボニウムアミノ）ビス（１−デシルピリジニウムブロマイド）、Ｎ，Ｎ’−ヘキサメチレンビス（４−カルバモイル−１−デシルピリジニウムブロマイド）等が使用される。基材シート２１ａに薬剤溶液を浸漬させる方法には、基材シート２１ａを薬剤溶液の中に放置したり、基材シート２１ａに薬剤溶液をスプレーしたりする方法がある。補強シート２２は、おむつ１が着用状態にあるときに、吸汗性シート２１の組織を維持するために使用されているもので、エアスルー不織布やスパンボンド不織布等の熱可塑性合成繊維の不織布で形成されることが好ましい。また、その熱可塑性合成繊維２４が熱捲縮した複合繊維であって、補強シート２２を柔軟で通気性のよいものにできることがより好ましい。補強シート２２は、接着や溶着等の接合手段、高圧柱状水流の噴射やニードルパンチの使用等による繊維交絡手段等によって吸汗性シート２１と一体化される。補強シート２２はまた、表面シート２に対して接着や溶着等の接合手段によって取り付けられる。
【００２２】
従来、あせもの発生原因の一つは、多量の汗の発生に伴って汗孔が詰まり、その後に汗が汗管より表皮や真皮に滲出したときに炎症を起こすことにあるといわれていた。しかるに、本発明者が知見したところによれば、汗をかいたときに増殖する表皮ブドウ球菌の生産物が汗管を塞いであせも発症の原因になることがあり、塩化セチルピリジニウム等の第４級アンモニウム塩を一例とするカチオン系抗菌剤やポリリジンを一例とするポリカチオン系抗菌剤の適量を表皮ブドウ球菌と共存させることによって、肌を徒に刺激することなく表皮ブドウ球菌の増殖を抑制することが可能であるとの見通しを得た。図１，２の吸汗性シート２１は、そのような知見に基づいて作られたものであって、吸水性に優れており第４級アンモニウム塩と強く結合することが可能なセルロース繊維の一例であるパルプ繊維２３によって汗を速やかに吸収して、肌に清涼感をもたらすとともに、その汗によってパルプ繊維と一体になっている第４級アンモニウム塩を汗の中に徐々に溶出させて、表皮ブドウ球菌の増殖を抑制しようとするものである。
【００２３】
表１は、試作した各種の試験用吸汗性シートを蒸留水（ＤＷ）と０．５％食塩水（ＮａＣｌａｑ）との中に４時間放置したときに溶出した薬剤成分の量を示している。基材シート２１ａには、坪量１７ｇ／ｍ２を有する３．４ｇのティシュペーパを使用した。この基材シート２１ａからは、それを薬剤成分の種類と濃度とが異なる各水溶液の中に放置して各水溶液を浸漬させた後に乾燥することによって、薬剤成分の含有量の異なる複数の試験用吸汗性シートを得た。次に、試験用吸汗性シートを３５ｍｌの蒸留水と０．５％の食塩水との中に２０℃で４時間放置して薬剤成分を溶出させた。それらの蒸留水と０．５％食塩水とについて、ＣｒｅｓｔＰａｋ  Ｃ１８ＳカラムによるＨＰＬＣによって、各薬剤成分の溶出量をｇ／ｌの単位で測定した。蒸留水と０．５％食塩水とにおける各薬剤成分の溶出量は、ほぼ同じであった。
【００２４】
【表１】
2007325915.tif 000003
【００２５】
表２は、第４級アンモニウム塩である各種薬剤成分について、その含有量が異なる試験用吸汗性シートを用意し、その試験用吸汗性シートについての性能評価結果を示している。表２における「４時間後溶出量」は、表１における試験と同様な試験においての試験用吸汗性シートからの薬剤成分の溶出量を示している。表２における「上腕皮膚試験」は、５×５ｃｍの大きさの各試験用吸汗性シートを健常男性成人１０人の上腕部に密着させて２４時間後の皮膚の状態を観察した結果を示している。「あせも防止効果」の観察結果において、効果が「有」とは１０人中８人以上に効果が確認できた場合をいい、「やや有」とは１０人中６人以上に効果が確認できた場合をいう。効果が「無」とは１０人中５人以上に効果が認められなかった場合をいう。また、「肌の異常」とは、吸汗性シートを密着させた部位とその部位の周辺部位とを比較観察した結果であって、異常が「無」とは吸汗性シートを密着させた部位について１０人中１０人に異常がなかった場合をいい、「やや有」とは１０人中８〜９人には異常がなかった場合をいう。肌の異常についての観察結果からすると、第４級アンモニウム塩の含有量は、０．１７６重量％以下であることが好ましく、０．０８８重量％以下であることがより好ましい。また、あせも防止効果からすると、０．０１２重量％以上であることが好ましく、０．０２９重量％以上であることがさらに好ましい。
【００２６】
【表２】
2007325915.tif 000004
【００２７】
この発明において、吸汗性シート２１が湿潤時の引張強度の高いもので、汗を吸収しても簡単には組織がばらばらになることのない場合には、補強シート２２の使用は必ずしも必要ではない。また、吸汗性シート２１は、図示例の使い捨ておむつの他に、トレーニングパンツや失禁患者用のパンツ、その他各種の着用物品と組み合わせて使用することができる。吸汗性シート２１は、そのように組み合わせて使用するものであることに限らず、単独で使用してもよいものであることはいうまでもない。
【産業上の利用可能性】
【００２８】
この発明によれば、あせも防止効果を奏することが可能な吸汗性シートおよびその吸汗性シートを使用した使い捨ておむつの製造が可能になる。
【図面の簡単な説明】
【００２９】
【図１】使い捨ておむつの部分破断図。
【図２】吸汗性シートの部分断面図。
【符号の説明】
【００３０】
１    おむつ
２    内面（内面シート）
３    外面（外面シート）
６    前胴周り域
７    後胴周り域
８    股下域
２１    吸汗性シート
２１ａ    基材シート
２３    吸水性繊維（パルプ繊維）
【図１】
2007325915.tif 000005
【図２】
2007325915.tif 000006